(57)【要約】【課題】高いエネルギー効率で、表示品質の高いフィールドシーケンシャル駆動方式の液晶表示装置を提供する。【解決手段】フィールドシーケンシャル駆動方式の液晶表示素子において、走査ラインの各行への画像データの書き込みをほぼ一行おきに行う。すなわち、Ｍ列Ｎ行のマトリクスにおいて、まず、奇数行である、第１行、第３行、第（Ｎ／２）行、…、第（Ｎ−１）行の順に書き込み、次いで、逆方向から、残りの偶数行である、第Ｎ行、第（Ｎ−２）行、…、第２行の順に書き込む。バックライトは、各フィールドの終期に点灯される。これにより、バックライト光源を常に点灯させることなく、高いエネルギー効率で、輝度ムラ等が低減された高品質の表示が可能となる。【選択図】  図５
2004206003.tif 000002
【特許請求の範囲】
【請求項１】
並行に配列された複数の走査電極を、予め定めた本数おきに一方方向へ走査する第１の走査工程と、
前記第１の走査工程で走査された以外の前記走査電極を他方方向へ走査する第２の走査工程と、
を備える、ことを特徴とするフィールドシーケンシャル液晶表示装置の駆動方法。
【請求項２】
前記第１の走査工程では、最初に走査が行われる前記走査電極から奇数番目の前記走査電極を走査し、
前記第２の走査工程では、偶数番目の前記走査電極を走査する、ことを特徴とする請求項１に記載のフィールドシーケンシャル液晶表示装置の駆動方法。
【請求項３】
前記走査電極の走査より前に、少なくとも１回のリセット信号を前記走査電極に印加する、ことを特徴とする請求項１又は２に記載のフィールドシーケンシャル液晶表示装置の駆動方法。
【請求項４】
前記リセット信号の印加は、複数の前記走査電極に一括して行われる、ことを特徴とする請求項３に記載のフィールドシーケンシャル液晶表示装置の駆動方法。
【発明の詳細な説明】
【０００１】
【発明の属する技術分野】
本発明は、フィールドシーケンシャル液晶表示装置の駆動方法に関する。
【０００２】
【従来の技術】
近年、フィールドシーケンシャル方式を用いた液晶表示装置が注目されている。フィールドシーケンシャル方式とは、「時分割」による混色を利用したカラー表示方式である。すなわち、二色以上の光を継続的に切り替えて発光させ、かつ、その切り替えの速さを人間の目の時間的分解能を越えた速さとした場合に、人間が上述の二色以上の色を混色して認識することを応用した方式である。
【０００３】
フィールドシーケンシャル方式のフルカラーＬＣＤにおいては、動画表示における各フレームを発光色の数で分割（時分割）したフィールド毎に、それぞれの発光色のうちの一つの発光色を点灯させるものであり、発光色がＲ・Ｇ・Ｂの３色のときは、バックライトをＲ・Ｇ・Ｂの三つの発光色のうちの一つの発光色を順次発光させ、その切り替えの速さを十分に速くすることにより任意の色光を実現する。
【０００４】
すなわち、フィールドシーケンシャル方式のフルカラーＬＣＤにおいては、例えば、カラーの各フレームを、それぞれ、あらかじめ、Ｒのフィールドと、Ｇのフィールドと、Ｂのフィールドとに分け、一つのカラーのフレームを表示する際に、上述のＲＧＢの各フィールドを順番に時間差を付けてＬＣＤに表示する。
【０００５】
詳細には、Ｒのフィールドを表示する際には、バックライトの発光を赤（Ｒ）とし、Ｂのフィールドを表示する際には、バックライトの発光を青（Ｂ）とし、Ｇのフィールドを表示する際には、バックライトの発光を緑（Ｇ）とする。そして、上記ＬＣＤにおいては、上述のように時分割された三色のフィールドからなるカラーの各フレームを、三つの発光色を切り替えながら連続して表示することにより、カラーの動画表示を実現する。
【０００６】
フィールドシーケンシャル方式によれば、液晶表示装置にカラーフィルタを設ける必要が無いため、カラーフィルタによる光の吸収が無く、光の高い利用効率および低消費電力が実現される。また、ひとつの画素で白色カラー表示が可能なため、カラーフィルタ方式に比べ、より少ない画素数で高解像度の表示が可能となる。
【０００７】
【発明が解決しようとする課題】
フィールドシーケンシャル方式は、上記のような利点を有する一方で、以下のような問題がある。第一に、液晶が直前のフィールドでの表示の影響を受け、１フィールド期間の応答速度において所望の輝度に達せず、輝度が不均一となり、ムラが生じやすい。図８に示すように、第２フィールドにおける液晶の応答は、直前の第１フィールドの表示の影響を受け、これとは異なる輝度を示し、ムラが発生する。
【０００８】
第二に、Ｍ行Ｎ列のマトリクスにおいて画像信号の転送は、第１行から第Ｎ行へ順次行われるが、液晶の応答速度の不足により、各画素の輝度が、画像信号の転送タイミングによってムラとなる場合がある。例えば、図９に示すように、ムラは画素（１，１）から（Ｍ，Ｎ）に向かって序々に低下する状態として視認される。
【０００９】
上記第一および第二の問題を解決するため、各フィールド毎に、色表示用信号と、表示にほとんど寄与しない信号（例えば、黒表示信号）をそれぞれフィールド期間の１／２より短い期間で転送し、かつ、該当する色の光源を、ほぼフィールド期間点灯させる手法が開発されている（特許文献１参照）。
【００１０】
【特許文献１】
特開２００１−２８１６２３号公報
【００１１】
なお、上記第一の問題は、各フィールドの最後、次のフィールドの画像信号を送信する直前に、画素にリセットパルスを書き込むことによって解決する（図１０参照）。
【００１２】
また、他に、外光の影響による表示画像の色純度の低下を無くし、明るい環境下でも、色純度が高くしかも均一なカラー画像を表示することができるフィールドシーケンシャル液晶表示装置が開発されている（特許文献２参照）。この液晶表示装置は、液晶表示素子とバックライト光源との間に配置された、液晶表示素子の各行の画素への単位色画像データの書込み期間に入射光を吸収する状態に制御され、画像データの書込み期間後に入射光を透過させる状態に制御される光シャッタ素子を備える。バックライト光源は、フィールド期間点灯されている。
【００１３】
【特許文献２】
特開２００２−２２１７００号公報
【００１４】
上記手法を備えた液晶表示装置によれば、ムラは解消可能である。しかし、上記液晶表示装置では、いずれも、表示に寄与しない応答をしているときにも、バックライトが点灯しており、エネルギー効率が低い。このように、従来のフィールドシーケンシャル駆動方式の液晶表示装置において、高いエネルギー効率で、輝度ムラ等が低減された、高品質の表示を実現することは困難であった。
【００１５】
上記事情を鑑みて、本発明は、高いエネルギー効率で、表示品質の高いフィールドシーケンシャル駆動方式の液晶表示装置を提供することを目的とする。
【００１６】
【課題を解決するための手段】
上記目的を解決するため、本発明に係るフィールドシーケンシャル液晶表示装置の駆動方法は、
並行に配列された複数の走査電極を、予め定めた本数おきに一方方向へ走査する第１の走査工程と、
前記第１の走査工程で走査された以外の前記走査電極を他方方向へ走査する第２の走査工程と、
を備える。
【００１７】
上記方法において、前記第１の走査工程では、例えば、最初に走査が行われる前記走査電極から奇数番目の前記走査電極を走査し、
前記第２の走査工程では、例えば、偶数番目の前記走査電極を走査する。
【００１８】
前記走査電極の走査より前に、少なくとも１回のリセット信号を前記走査電極に印加してもよい。
【００１９】
また、前記リセット信号の印加は、例えば、複数の前記走査電極に一括して行われる。
【００２０】
本発明のフィールドシーケンシャル液晶表示装置の駆動方法により、バックライト光源を常に点灯させることなく、高いエネルギー効率で、輝度ムラ等が低減された高品質の表示が可能となる。
【００２１】
また、輝度の高い画素と低い画素とが高い均一性で配置され、均一性の高い表示が可能となる。
【００２２】
さらに、前記走査電極の走査より前に、少なくとも１回のリセット信号を前記走査電極に印加することにより、ムラが緩和された高品質の画像表示が可能となる。
【００２３】
前記リセット信号の印加は、複数の前記走査電極に一括して行われることによって、高い均一性でムラが緩和された高品質の画像表示が可能となる。
【００２４】
【発明の実施の形態】
本発明の実施の形態に係る液晶表示装置について、以下図面を参照して説明する。
【００２５】
図１に、本実施の形態に係る液晶表示装置の構成を示す。また、図２に、図１に示す液晶表示装置の断面構成を示す。
【００２６】
図１に示すように、液晶表示装置は、液晶表示パネル１０と、信号ドライバ２０と、走査ドライバ３０と、ＲＧＢデコーダ４０と、反転アンプ５０と、ＬＣＤコントローラ６０と、コモン信号駆動アンプ７０と、バックライト８０と、バックライト制御回路９０と、を備える。バックライト８０は、液晶表示パネル１０の背面に設けられている。
【００２７】
図２を参照して、液晶表示パネル１０は、互いに対向して設けられた透明な上側基板１１と下側基板１２とを有し、上側基板１１と下側基板１２との間にスペーサ１３によって形成された空間に液晶１４が充填された構成を有する。
【００２８】
液晶１４は、強誘電性または反強誘電性液晶からなる強誘電性または反強誘電性液晶表示素子、或いはネマチック液晶をホモジニアス配向させた液晶表示素子から構成される。液晶１４は、図示しない配向膜により覆われ、所定の配向状態に配向している。
【００２９】
液晶表示パネル１０は、アクティブマトリクス型の構成を有し、下側基板１２の対向面には、行方向および列方向にマトリクス状に配列された複数の画素電極１５が設けられ、また、上側基板１１の対向面には、画素電極１５と対向する共通電極１６が設けられている。上側基板１１と下側基板１２の外面には、それぞれ偏光板１７、１８が設けられている。
【００３０】
下側基板１２の対向面には、複数の画素電極１５にソースが接続された複数のＴＦＴ（図２において図示せず）が設けられている。
図１に示すように、液晶表示パネル１０は、互いに直交する複数の走査ラインＳＬと信号ライン（データライン）ＤＬとを備え、ＴＦＴは、そのゲートが走査ラインＳＬに接続され、そのドレインは信号ラインＤＬに接続されている。
【００３１】
信号ドライバ２０には各信号ラインＤＬが接続され、水平制御信号に基づいて、所定の画像データを１行単位で記憶し、対応する映像表示信号を各信号ラインＤＬに順次供給する。
【００３２】
走査ドライバ３０には各走査ラインＳＬが接続され、垂直制御信号に基づいて、走査ラインＳＬに走査信号を順次印加して選択状態とし、上記信号ラインＤＬと交差する位置に設けられた画素電極１５に、上記信号ラインＤＬに供給された映像表示信号の電圧を印加する。
【００３３】
ＲＧＢデコーダ４０と反転アンプ５０とは、映像信号から垂直（Ｖ）及び水平（Ｈ）のクロック信号と同期信号（ＣＳＹ）を抽出して、後述するＬＣＤコントローラ６０に供給するとともに、ＬＣＤコントローラ６０から出力されるフィールド／ライン反転信号ＦＲＰに基づいて、映像信号に含まれる赤（Ｒ）、緑（Ｇ）、青（Ｂ）の各色信号（ＲＧＢ信号）を抽出して、例えば、各８ビット幅のデジタルＲＧＢ信号に変換し、ＲＧＢ反転信号を信号ドライバ２０に供給する。
【００３４】
ＬＣＤコントローラ６０は、ＲＧＢデコーダ４０から供給される水平クロック信号（Ｈ）、垂直クロック信号（Ｖ）及び同期信号（ＣＳＹ）に基づいて、上記フィールド／ライン反転信号ＦＲＰを生成して、反転アンプ５０に出力するとともに、水平制御信号及び垂直制御信号を生成して、信号ドライバ２０及び走査ドライバ３０に供給することにより、所定のタイミングで画素電極１５に信号電圧を印加して、液晶表示パネル１０に表示データを書き込む制御を行う。
【００３５】
コモン信号駆動アンプ７０は、上述したＬＣＤコントローラ６０から出力されるフィールド／ライン反転信号ＦＲＰに基づいて、液晶表示パネル１０の共通電極１６に印加されるコモン電位を駆動するためのコモン信号Ｖcomを生成、出力する。
【００３６】
バックライト８０は、図２に示すように、導光板８１と、発光部材８２と、を備える。
【００３７】
導光板８１は、液晶表示パネル１０とほぼ同じ面積を有する透明板、例えば、アクリル系樹脂板から構成されている。導光板８１は、上面が平坦に形成され、下面が一端から他端に向って傾斜し、薄くなるように形成されている。導光板８１の上面は、液晶表示パネル１０とほぼ同一の面積を有する。導光板８１の幅広の一端面が、後述する発光光の入射面を構成し、上面全体が出射面を構成する。
【００３８】
導光板８１の下面には、アルミニウム等の蒸着またはメッキ膜からなる反射膜８３が設けられている。
【００３９】
発光部材８２は、導光板８１の幅広の一側面に対向するように配置されている。発光部材８２は、複数の単位色光をそれぞれ発する複数の発光素子、例えば、赤の単位色光を発する赤色ＬＥＤ（発光ダイオード）と、緑の単位色光を発する緑色ＬＥＤと、青の単位色光を発する青色ＬＥＤと、を備える。
【００４０】
なお、発光部材８２は、導光板８１にその側面のほぼ全面から単位色光を入射させるように、導光板８１の入射端面の長さ方向に沿って、例えば、複数個が所定の間隔で配置されている。
【００４１】
発光部材８２は、後述するバックライト制御回路９０により、複数の単位色光を順次点灯するように駆動される。発光部材８２から出射され、導光板８１の側面に入射した単位色光は、導光板８１の上面と外気（空気）との界面での全反射および導光板８１の下面の反射膜８３での反射の繰り返しにより導光板８１の全体に導かれ、導光板８１の上面全体からその上方の液晶表示パネル１０に向けて出射される。なお、導光板８１の上面には拡散層８４が設けられており、導光板８１の上面から出射した光は、拡散層８４により拡散され、ほぼ均一な輝度分布の光となって出射される。
【００４２】
バックライト制御回路９０は、ＬＣＤコントローラ５０により生成、出力されるバックライト制御信号に基づいて、インバータ回路の動作を制御し、バックライト８０の点灯を制御する。ここで、ＬＣＤコントローラ６０から出力されるバックライト制御信号は、上述した信号ドライバ２０及び走査ドライバ３０による表示データの書き込み動作に同期する信号として生成され、バックライト制御回路９０に供給される。
【００４３】
上記構成の液晶表示装置は、いわゆるフィールドシーケンシャル方式で駆動する。すなわち、フィールドシーケンシャル方式においては、１つのカラー画像を表示するための１フレームを単位色（Ｒ、Ｇ、Ｂ）の数で分割した３つのフィールド毎に、複数の単位色のうちの１つの単位色の画像データを各画素に書き込む。各フィールドでは、書き込まれた画像データに対応する単位色光がバックライト８０から出射される。
【００４４】
このように、時分割されたフィールド毎に、順次画像データを書き込み、これに応じて各単位色光を高速に切り替えて発光させることにより、１フレーム毎に任意の色が得られ、カラーフィルタ等を要さずにカラー画像表示が可能となる。
【００４５】
詳細には、ＬＣＤコントローラ５０は、各行のＴＦＴに走査ラインＳＬを介してゲート信号を供給するとともに、各列のＴＦＴにそれぞれ信号ラインＤＬを介して、任意の色を混色により表示するための複数の単位色のうちの１つの単位色に対応する単位色画像データ信号を供給する。
【００４６】
これにより、各行の画素の電極間に単位色画像データ信号に対応した電圧が印加され、フィールド毎に、複数の単位色のうちの１つの単位色の画像データを各行の画素に書込まれ、これに対する液晶１４の応答の程度により、各画素の光の透過が制御される。
【００４７】
例えば、Ｒ、Ｇ、Ｂの順で発光させる、Ｍ列Ｎ行（Ｎ：偶数）のマトリクスを備えた表示装置において、オレンジ色（Ｒ＝１００％、Ｇ＝５０％、Ｂ＝０％）を表示する場合、画素（１，１）には、図３に示すようにデータが書き込まれ、これに応じて液晶１４が駆動され、各画素領域における透過率が制御される。単位色光（Ｒ、Ｇ、Ｂ）の点灯は各単位色フィールドごとに行われ、各フレーム毎に、所望の色（オレンジ色）が得られる。
【００４８】
本実施の形態において、上記のような各行への画像データの書き込みは、図４のタイミングチャートに示すように行われる。すなわち、ＬＣＤコントローラ６０は、走査ラインＳＬに１行おき（折り返し部分を除く）に走査信号を順次印加して、選択状態とする。ＬＣＤコントローラ６０は、各信号ラインＤＬに映像表示信号を供給している。これにより、表示信号は、画素のほぼ１行おきに送信されることとなる。
【００４９】
図４に示す例では、表示信号は、まず、奇数行、すなわち、第１行、第３行、第５行、…、第（Ｎ−１）行の順に書き込まれる。次に、残りの偶数行について、逆方向から、第Ｎ行、第（Ｎ−２）行、…、第２行の順に書き込まれる。
【００５０】
このような表示信号の送信方法によれば、以下のような利点が得られる。
フィールドシーケンシャル方式においては、各フィールドにおいて、行毎に順次画像データの書き込みを行うため、始期に書き込んだ画素と、終期に書き込んだ画素とでは、液晶１４の応答開始にタイムラグが生じる。点灯は各フィールドの終期付近に行われるが、このタイムラグにより、液晶１４の応答に差が生じて、到達輝度レベルは異なるものとなる。これにより、画面上には、色ムラや輝度ムラが生じてしまう。
【００５１】
しかし、上記方法においては、最後に書き込まれる、液晶１４の応答が不十分な第２行の画素は、最初に書き込まれる、液晶１４の応答が十分な第１行と第３行とに挟まれる。これにより、画面上におけるムラは、平均化され、視認されにくいものとなる。
【００５２】
また、比較的早く書き込まれ比較的輝度の高い画素と、比較的遅く書き込まれ比較的輝度の高い画素とは、全体として均一に配置される。これにより、例えば、末端（Ｍ，Ｎ）付近の画素が表示信号の送信タイミングが中間となるなど、ムラが視認されにくく、表示品質が向上される。
【００５３】
図５に、表示信号に対する液晶１４の駆動を概略的に示す。本図は、上図に１フレームにおける走査信号線に対する表示信号の印加タイミングを示し、下図にその印加タイミングによる液晶の駆動の状態（データの書き込み量）とバックライトの点灯期間を示している。
【００５４】
上図の走査信号線は、奇数行と偶数行でデータの書き込みタイミングが分かれており、奇数行の（１，１）〜（Ｍ，Ｎ−１）は、図の上方向から下方向にかけて、順次データが書き込まれる。
【００５５】
一方で、走査信号線の偶数行（１，２）〜（Ｍ，Ｎ）は、図の下方向から上方向にかけて、順次データが書き込まれる。そして、走査信号線の偶数行は、奇数行の書き込みタイミングが終了後に、データが書き込まれる。
【００５６】
そして、下図の液晶スイッチングのタイミングとして、それぞれ表示領域の最大差は、奇数行（１，１）と偶数行（１，２）で生じることとなる。この最大差が生じる期間が終了した後に、バックライトが点灯する期間がくるようになされている。
【００５７】
この関係は、図５に示すようにフィールド（Ｒ）、フィールド（Ｇ）、フィールド（Ｂ）のそれぞれにおいても同様に行われ、赤色光の点灯、緑色光の点灯、青色光の点灯が行われる。
【００５８】
以上により、奇数行（１，１）〜（Ｍ，Ｎ−１）、次いで、偶数行（Ｍ，Ｎ）〜（１，２）の順で表示信号が送出され、液晶１４が駆動される。書き込みの順に基づき、液晶１４の応答にはタイムラグが生じ、その差は、次第に増大して、（１，１）と（１，２）との間で最大となる。しかし、（１，２）付近の液晶１４の不十分な応答に基づく輝度の低下は、（１，１）付近の十分な応答に基づく高い輝度により視認されにくいものとなる。
【００５９】
そして、表示信号を一行おきに、上下折り返して送信する本実施の形態では、送信信号の送出順に基づく輝度ムラを、視認されにくいものとすることができ、表示品質の向上が図れる。
【００６０】
図６に、本実施の形態の方法を、２２０行の液晶表示パネルの表示動作に適用した場合の、1フィールドにおけるタイミングチャートの一例を示す。
【００６１】
図６では、走査信号線の数が２２０本有り、それぞれの書き込みの順序が、上方向から奇数の走査信号線１乃至１１０の書き込みが上から順に行われ、偶数の走査信号線１１１乃至２２０の書き込みが下から順に行われている。
【００６２】
なお、使用周波数は６０Ｈｚとし、この場合、１フレームは約１６．６秒である。１フレームは、３色（Ｒ、Ｇ、Ｂ）のフィールドからなるので、各フィールドはその１／３の約５．５ミリ秒である。
【００６３】
図を参照して、まず、２０マイクロ秒幅のリセット信号を５００マイクロ秒間隔で２回書き込む。この時点で１ミリ秒が経過する。リセット信号は、直前のフィールドの影響を均一なものとするために印加され、これによりムラが緩和される。
【００６４】
次に、１０マイクロ秒幅の書き込み信号を、書き込み順序に示されるように、奇数行１，３，…，２１７，２１９に対して順に書き込む。書き込みには、１．１ミリ秒を要し、この時点で２．１ミリ秒が経過する。
【００６５】
その後、同じ書き込み幅の信号を、逆方向から偶数行２２０，２１８，…，４，２に対して順に書き込む。書き込みには、１．１ミリ秒を要し、この時点で３．２ミリ秒が経過する。
【００６６】
書き込み後、３５０マイクロ秒間は、なんら動作を行わず、液晶１４の応答時間とする。この時点で、３．５５ミリ秒が経過する。
フィールドの残りの２ミリ秒において、バックライトを点灯する。以上で、１フィールド５．５５ミリ秒が経過する。
【００６７】
上記実施例においては、最後の書き込みが終わる第２行へ書き込み信号を送ってから、点灯までの時間は、わずか０．３５ミリ秒しか確保されない。従って、書き込みが遅い行については、液晶１４の応答は不十分である。
【００６８】
しかし、この不十分な応答は、最も書き込みが早く、応答時間が十分に確保される両隣の第１行および第３行に挟まれており、そのムラは視認されにくいものとなる。また、他の相対的に書き込みが遅く応答時間が十分に確保されない行についても、相対的に書き込みが早い行の間に配置されており、そのムラは視認されにくいものとなる。
【００６９】
本発明は、上記実施の形態に限られず、種々の変形、応用が可能である。以下、本発明を適用可能な上記実施の形態の変形態様について、説明する。
【００７０】
上記例では、各フィールドの先頭にリセット信号を２回送信しているが、勿論１回でもよく、さらには、リセット信号を送らずに駆動させてもよい。
【００７１】
また、上記実施の形態では、折り返し部分を除いて、１行おきに書き込みを行うものとした。しかし、例えば、複数行おきに書き込みを行うようにしてもよい。例えば、図７に示すように、２行おきに書き込みを行うようにしてもよい。このような変更は、液晶パネルの大きさや走査信号線の本数などから、種々可能であり、５行おきあるいは１０行おきでもよい。
【００７２】
また、上記実施の形態では、スイッチング素子としてＴＦＴを用いたが、所望の駆動能力や駆動タイミングが実現できれば、例えば、ＭＩＭ素子を用いたアクティブマトリクス基板を用いても良く、単純マトリクス基板を用いても良い。
【００７３】
また、上記実施の形態では、バックライト８０は、複数の単位色光を発光する発光素子（ＬＥＤ）を備える構成とした。しかし、バックライト等の光源は、これに限らず、例えば、複数の単位色の光を発する複数の発光素子を行方向および列方向に並べて配列した面光源を備える構成してもよい。
【００７４】
【発明の効果】
本発明のフィールドシーケンシャル液晶表示装置の駆動方法によれば、表示品質の高いフィールドシーケンシャル駆動を行うことができる。
【図面の簡単な説明】
【図１】本発明の実施の形態に係る液晶表示装置の構成を示す図である。
【図２】図１に示す液晶表示装置の断面構成を示す図である。
【図３】表示信号のタイミングチャートと液晶の応答を示す図である。
【図４】本発明の実施の形態に係るタイミングチャートを示す図である。
【図５】本発明の実施の形態に係る表示信号のタイミングチャートと液晶の応答を示す図である。
【図６】実施例に係る表示信号のタイミングチャートを示す図である。
【図７】本発明の実施の形態の変形例に係るタイミングチャートを示す図である。
【図８】従来のフィールドシーケンシャル液晶表示装置における表示信号のタイミングチャートと液晶の応答を示す図である。
【図９】従来のフィールドシーケンシャル液晶表示装置における表示信号のタイミングチャートと液晶の応答を示す図である。
【図１０】リセットパルスを印加する方式の表示信号のタイミングチャートと液晶の応答を示す図である。
【符号の説明】
１・・・液晶表示装置、１０・・・液晶表示パネル、２０・・・信号ドライバ、３０・・・走査ドライバ、４０・・・ＲＧＢデコーダ、５０・・・反転アンプ、６０・・・ＬＣＤコントローラ、７０・・・コモン信号駆動アンプ、８０・・・バックライト、９０・・・バックライト制御回路
【図１】
2004206003.tif 000003
【図２】
2004206003.tif 000004
【図３】
2004206003.tif 000005
【図４】
2004206003.tif 000006
【図５】
2004206003.tif 000007
【図６】
2004206003.tif 000008
【図７】
2004206003.tif 000009
【図８】
2004206003.tif 000010
【図９】
2004206003.tif 000011
【図１０】
2004206003.tif 000012